(57)【特許請求の範囲】
【請求項１】
吸収体と、表面側に配置された透液性表面シートと、裏面側に配置された不透液性裏面シートとを含み、前記吸収体は下部吸収体とこれより幅狭の上部吸収体とから構成された吸収性物品において、
前記上部吸収体は、前記下部吸収体の幅寸法に対して３０〜７０％の幅寸法であり、全長に亘って等幅とされ、吸収性物品の表面側であって、かつ長手方向中心位置に配置され、少なくとも排血部位の前方側位置から前記排血部位を含む範囲までが下部吸収体側と実質的に接合され一体を成し、前記排血部位を含む範囲までの接合部後端位置からほぼ前記下部吸収体の後がわ縁部まで延在する後方側部分が下部吸収体側と非接合とされ、実質的に移動を拘束されない自由区間部を構成していることを特徴とする吸収性物品。
【請求項２】
透液性表面シートと不透液性裏面シートとの間に下部吸収体が介在された吸収性物品の表面側長手方向中心位置に、上面側が透液性シートによって覆われるとともに、下面側が透液性シートまたは不透液性シートに覆われ、かつ前記下部吸収体の幅寸法に対して３０〜７０％の幅寸法であり、全長に亘って等幅とされる幅狭の上部吸収体を配置し、この上部吸収体は少なくとも排血部位の前方側位置から前記排血部位を含む範囲までが下部吸収体側と実質的に接合され一体を成し、前記排血部位を含む範囲までの接合部後端位置からほぼ前記下部吸収体の後がわ縁部まで延在する後方側部分が下部吸収体側と非接合とされ、実質的に移動を拘束されない自由区間部を構成していることを特徴とする吸収性物品。
【請求項３】
前記上部吸収体の自由区間部において、上部吸収体の下面側を覆う透液性シートまたは不透液性シートと、前記下部吸収体の表面側を覆う透液性表面シートとの平均動摩擦係数が０．５以下である請求項２記載の吸収性物品。
【請求項４】
前記上部吸収体の下部吸収体側に対する接合区間と非接合区間との略境界部において、前記吸収性物品の両側縁に切込みが形成され、下部吸収体を含む吸収性物品の後端側領域が左右方向に易変形性を示すようにしてある請求項１〜３いずれかに記載の吸収性物品。
【請求項５】
前記上部吸収体の下部吸収体側に対する接合区間と非接合区間との略境界部において、前記吸収性物品の側縁部領域に伸縮性を与え、下部吸収体を含む吸収性物品の後端側領域が左右方向に易変形性を示すようにしてある請求項１〜３いずれかに記載の吸収性物品。
【請求項６】
少なくとも吸収性物品の後端部領域において、前記不透液性裏面シート部分に伸縮性を与え、前記下部吸収体を含む吸収性物品の後端側領域が易変形性を示すようにしてある請求項１〜３いずれかに記載の吸収性物品。
【請求項７】
前記上部吸収体の下部吸収体側に対する接合区間と非接合区間との略境界部において、前記下部吸収体に吸収性物品の長手方向に断面Ｚ状の折り込み部を設け、下部吸収体を含む吸収性物品の後端側領域が左右方向に易変形性を示すようにしてある請求項１〜３いずれかに記載の吸収性物品。
【請求項８】
前記上部吸収体の下部吸収体側に対する接合区間と非接合区間との略境界部において、前記下部吸収体の両側縁部に切込みを形成してある請求項１〜６いずれかに記載の吸収性物品。
【請求項９】
前記上部吸収体の下部吸収体側に対する接合区間と非接合区間との略境界部において、前記下部吸収体を前端側吸収体と後端側吸収体とに分離してある請求項１〜７いずれかに記載の吸収性物品。
【発明の詳細な説明】
【０００１】
【発明の属する技術分野】
本発明は、経血、おりもの、尿などを吸収するための生理用ナプキン、パンティライナー、失禁パッド等の吸収性物品に係り、詳しくは身体の動きに伴う下着のズレに拘わらず、排血部位に吸収体がフィットした状態を保持し得るようにした吸収性物品に関する。
【０００２】
【従来の技術】
従来より、生理用ナプキン、パンティライナー、おりものシート、失禁パッドなどの吸収性物品Ｎとしては、例えば図１０に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させたものが知られている。
【０００３】
この種の吸収性物品においては、ズレ止めを図るために、例えば非使用面側（外面）に１または複数条の粘着剤層５３，５３を形成したり、さらには吸収性物品の長手方向両側部に、外方に延在するウイング状フラップＷ、Ｗを一体的に形成するとともに、このウイング状フラップＷ、Ｗの不透液性裏面シート側の面に粘着剤層５４，５４を設けるようにしたものが存在する。なお、製品状態では、これらの粘着剤層５３…、５４…には剥離紙が仮着されている。
【０００４】
この吸収性物品Ｎを下着に固定する際には、図４に示されるように、先ず非使用面側に仮着されている剥離紙を剥がした後、吸収性物品Ｎを局所にあてがい、側方に突出するウイング状フラップＷ、Ｗを下着より出し、両ウイング状フラップＷ、Ｗを折返し線ＲＬ、ＲＬで折返し、下着のクロッチ部分を巻き込むようにしながら下着の股間部外面に接着するようにする。
【０００５】
前述の固定方法によって、吸収性物品Ｎは下着に対して固定されるようになるけれども、身体の動きによって下着は前後左右方向に移動することがあるため、身体の動きに伴う下着の移動によって下着に固定された吸収性物品Ｎが移動し、吸収体５２が排血部位からずれてしまうなどの問題があった。
【０００６】
このような問題に対して、たとえば実開昭62-56025号公報（従来例１）、特公平5-73419号公報（従来例２）および特開平10-33589号公報（従来例３）では、吸収体を下部吸収体と上部吸収体とにより分割した構成を採り、下着と共に吸収体全体が位置ズレするのを防止した吸収性物品構造を提案している。
【０００７】
具体的に前記従来例１では帯状パッド本体の女性局部に当てる内側面に中央縦方向に、棒状パッドをその上端部位のみを固着して取り付けた構造の生理用パッドが提案され、前記従来例２では上面側に不織布を備え、下面側に防水紙を備える上部吸収体と、上面に不織布または吸収紙を備えるとともに、下面側に防水紙を備えるとともに、前記防水紙の下面に固定テープを配設した下部吸収体とを積層配置するとともに、前記上部吸収体と下部吸収体とを長手方向両端のみで固定した構造の生理用ナプキンが提案され、前記従来例３では吸収性物品を構成する吸収部は、上層吸収体と下層吸収体とを備え、これら各吸収体が夫々独立に形成されるとともに、実質的に非接触の状態で配設され、かつ前記下層吸収体に対して幅方向に位相変化自在に表面シートにより被覆された吸収性物品が提案されている。
【０００８】
【発明が解決しようとする課題】
しかしながら、前記従来例１に係る生理用ナプキンの場合には、前記棒状パッドの上端部のみが生理用ナプキン本体に固定された構造であるため、前記棒状パッドは実質的に他に拘束されることなく自由に移動可能である。したがって、装着時または身体の激しい運動により棒状パッドが大きく位置ズレし、却って漏れを発生させる虞がある。
【０００９】
また、前記従来例２に係る生理用ナプキンの場合には、上部吸収体が下部吸収体に対して前後端部で夫々固定されているため、上部吸収体が大きく位置ズレすることはないけれども、身体の動きに伴う力（この力は主に動きの大きい後端部側（臀部側）から伝達される。）が上部吸収体に伝達されるとともに、排血相当部位で上部吸収体が固定されていないため、上部吸収体が排血部位に対応する中間部分で位置ズレを起こし、漏れが発生し易いなどの問題がある。
【００１０】
これらに対して前記従来例３に係る生理用ナプキンの場合には、上部吸収体と下部吸収体とが同明細書で言う「表面シートによって形成された連設部」によって連結された構造となっており、上部吸収体は適度に拘束された状態となり、かつ下着の動きに伴って下部吸収体が位置ズレしたとしても、上部吸収体は排血部位から位置ズレすることなく保持され、その後、下部吸収体は前記連設部による復元力によって元の状態に戻るなどの利点を有する。しかし、かかる構造の場合には、身体のある程度の動きまでは確実にその機能を発揮し得るけれども、許容範囲を越えた身体の動きにあった場合には、下部吸収体の大きな位置ズレに伴ってやはり上部吸収体が位置ズレしてしまうなどの問題がある。
【００１１】
そこで本発明の主たる課題は、どんなに下着が動いても上部吸収体が下部吸収体の動きに追従することなく、当初の位置から位置ズレしないようにし、身体にフィットした状態を保持し得るようにした吸収性物品を提供することにある。
【００１２】
【課題を解決するための手段】
前記課題を解決するために請求項１に係る本発明として、吸収体と、表面側に配置された透液性表面シートと、裏面側に配置された不透液性裏面シートとを含み、前記吸収体は下部吸収体とこれより幅狭の上部吸収体とから構成された吸収性物品において、
前記上部吸収体は、前記下部吸収体の幅寸法に対して３０〜７０％の幅寸法であり、全長に亘って等幅とされ、吸収性物品の表面側であって、かつ長手方向中心位置に配置され、少なくとも排血部位の前方側位置から前記排血部位を含む範囲までが下部吸収体側と実質的に接合され一体を成し、前記排血部位を含む範囲までの接合部後端位置からほぼ前記下部吸収体の後がわ縁部まで延在する後方側部分が下部吸収体側と非接合とされ、実質的に移動を拘束されない自由区間部を構成していることを特徴とする吸収性物品が提供される。
【００１３】
請求項２に係る本発明として、透液性表面シートと不透液性裏面シートとの間に下部吸収体が介在された吸収性物品の表面側長手方向中心位置に、上面側が透液性シートによって覆われるとともに、下面側が透液性シートまたは不透液性シートに覆われ、かつ前記下部吸収体の幅寸法に対して３０〜７０％の幅寸法であり、全長に亘って等幅とされる幅狭の上部吸収体を配置し、この上部吸収体は少なくとも排血部位の前方側位置から前記排血部位を含む範囲までが下部吸収体側と実質的に接合され一体を成し、前記排血部位を含む範囲までの接合部後端位置からほぼ前記下部吸収体の後がわ縁部まで延在する後方側部分が下部吸収体側と非接合とされ、実質的に移動を拘束されない自由区間部を構成していることを特徴とする吸収性物品が提供される。
【００１４】
請求項３に係る本発明として、前記上部吸収体の自由区間部において、上部吸収体の下面側を覆う透液性シートまたは不透液性シートと、前記下部吸収体の表面側を覆う透液性表面シートとの平均動摩擦係数が０．５以下である請求項２記載の吸収性物品が提供される。
【００１５】
請求項４に係る本発明として、前記上部吸収体の下部吸収体側に対する接合区間と非接合区間との略境界部において、前記吸収性物品の両側縁に切込みが形成され、下部吸収体を含む吸収性物品の後端側領域が左右方向に易変形性を示すようにしてある請求項１〜３いずれかに記載の吸収性物品が提供される。
【００１６】
請求項５に係る本発明として、前記上部吸収体の下部吸収体側に対する接合区間と非接合区間との略境界部において、前記吸収性物品の側縁部領域に伸縮性を与え、下部吸収体を含む吸収性物品の後端側領域が左右方向に易変形性を示すようにしてある請求項１〜３いずれかに記載の吸収性物品が提供される。
【００１７】
請求項６に係る本発明として、少なくとも吸収性物品の後端部領域において、前記不透液性裏面シート部分に伸縮性を与え、前記下部吸収体を含む吸収性物品の後端側領域が易変形性を示すようにしてある請求項１〜３いずれかに記載の吸収性物品が提供される。
【００１８】
請求項７に係る本発明として、前記上部吸収体の下部吸収体側に対する接合区間と非接合区間との略境界部において、前記下部吸収体に吸収性物品の長手方向に断面Ｚ状の折り込み部を設け、下部吸収体を含む吸収性物品の後端側領域が左右方向に易変形性を示すようにしてある請求項１〜３いずれかに記載の吸収性物品が提供される。
【００１９】
請求項８に係る本発明として、前記上部吸収体の下部吸収体側に対する接合区間と非接合区間との略境界部において、前記下部吸収体の両側縁部に切込みを形成してある請求項１〜６いずれかに記載の吸収性物品が提供される。
【００２０】
請求項９に係る本発明として、前記上部吸収体の下部吸収体側に対する接合区間と非接合区間との略境界部において、前記下部吸収体を前端側吸収体と後端側吸収体とに分離してある請求項１〜７いずれかに記載の吸収性物品が提供される。
【００２１】
【発明の実施の形態】
以下、本発明の実施の形態について図面を参照しながら詳述する。
図１は本発明に係る生理用ナプキン１の平面図、図２は図１のII−II線矢視図、図３は図１のIII−III線矢視図である。
【００２２】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる下部吸収体４と、この下部吸収体４の形状保持および拡散性向上のために周囲を囲繞するクレープ紙５と、前記透液性表面シート３の表面側であって、かつ生理用ナプキン１の長手方向中心位置に配置される上部吸収体９とから構成とされ、前記下部吸収体４の周囲において、その上下端縁部では、前記不透液性裏面シート２と透液性表面シート３との外縁部がホットメルトなどの接着剤やヒートシール等の接着手段によって接合され、またその両側縁部では下部吸収体４よりも側方に延出している前記不透液性裏面シート２と前記透液性表面シート３とがホットメルトなどの接着剤やヒートシール等の接着手段によって接合されている。
【００２３】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートである。
【００２４】
次いで、前記透液性表面シート３としては、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。なお、本例のように、吸収体４を囲繞するクレープ紙５を設け、結果的に透液性表面シート３と吸収体４との間にクレープ紙５が介在するようにすれば、吸収性に優れる前記クレープ紙５によって体液を速やかに拡散させるとともに、これら経血等の逆戻りを防止するようになる。
【００２５】
前記不透液性裏面シート２と透液性表面シート３との間に介在される下部吸収体４は、たとえばフラッフ状パルプと吸水ポリマーとにより構成されている。前記吸水性ポリマーは吸収体を構成するパルプ中に例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２６】
前記生理用ナプキン１の後部側においては、下部吸収体４の両側位置に長手方向方向に沿って透液性表面シート３の上面側からサイドエンボス１０，１０が付与され、下部吸収体４が位置ズレするのを防止するようになっている。
【００２７】
一方、前記不透液性裏面シート２の外面側にはナプキン長手方向に沿って１または複数条の粘着剤層１４，１４（図３参照）が設けられているとともに、生理用ナプキン１の排血部位Ｈ近傍の両側にはそれぞれ、透液性表面シート３の一部が側方に延在されるとともに、前記不透液性裏面シート２の一部が側方に延在され、これら側方に延在された透液性表面シート３部分と不透液性裏面シート２部分とをホットメルト接着剤等により接合してウイング状フラップＷ、Ｗが形成され、このウイング状フラップＷ、Ｗの不透液性裏面シート２側の面に粘着層１１，１１が設けられているとともに、後部側の両側部にもそれぞれ、前記透液性表面シート３と不透液性裏面シート２との側方延在部分により臀部側フラップＷB、ＷＢが形成され、不透液性裏面シート２側の面に粘着剤層１２，１２が設けられている。
【００２８】
前記透液性表面シート３の表面側であって、かつナプキン長手方向中心位置に配置される上部吸収体９は、クレープ紙８によって囲繞された吸収体の表面側をさらに不織布または透孔性プラスチックシートなどの透液性シート６によって覆うとともに、裏面側を透液性シート７Ａまたは不透液性シート７Ｂによって覆った吸収体である。この場合、上部吸収体９に吸収された体液を下部吸収体４側に伝達するには裏面側を前記透液性シート７Ａにより覆い、上部吸収体９に十分な吸収能があるような場合には、裏面側を前記不透液性シート７Ｂにより覆うことができる。もちろん、１枚の透液性シートにより全体を包むように囲繞してもよい。
【００２９】
前記上部吸収体９の幅寸法は、下部吸収体４の幅寸法よりも幅狭とされる。具体的に前記上部吸収体９の幅寸法Ｂ１は２〜６cm、好ましくは３〜５cmとするのが望ましく、下部吸収体の幅寸法Ｂ２に対して３０〜７０％、好ましくは４０〜６０％であることが望ましい。前記上部吸収体９の幅寸法Ｂ１が２cm未満の場合には装着者の体液排出部を十分に覆うことができず漏れが生じ易い。また６cmを超える場合には装着者の体液排出部に対するフィット性が確保されない。
【００３０】
前記上部吸収体９は、別体として製造された後、前記透液性表面シート３の表面側に対して固定される。この固定に際し本発明では特に、前記上部吸収体９の少なくとも排血部位Ｈの前方側位置から前記排血部位を含む範囲までが下部吸収体４側と実質的に接合され一体を成し、前記排血部位Ｈを含む範囲までの接合部後端位置Ｋからさらに後方側部分が下部吸収体４側（透液性表面シート３）と非接合とされ、実質的に移動を拘束されない自由区間部１３を構成している。
【００３１】
前記上部吸収体９の前部がわ端は、図示されるように、生理用ナプキン１の前がわ縁部と同位置するのが望ましいが、少なくとも排血部位Ｈよりも前部側位置を前部がわ端として始点として接合されておれば、生理用ナプキン１の前がわ縁部よりも内方側位置を前部がわ端としてもよい。また、上部吸収体９の後部がわ端は、図示例ではほぼ下部吸収体４の後がわ縁部に合わせるようにしてあるが、これよりも短くてもよい。
【００３２】
前述した生理用ナプキン１は、前記上部吸収体９を丁度、装着者の排血部にあてがうようにするとともに、図４に示されるように、側方に突出するウイング状フラップＷ、Ｗおよび臀部側ウイング状フラップＷＢ、ＷＢを下着３０より出し、両ウイング状フラップＷ…、ＷＢ…を折返し線ＲＬ、ＲＬで折返し、下着のクロッチ部分を巻き込むようにしながら下着３０の股間部外面に接着するようにして装着される。
【００３３】
生理用ナプキン１を装着した状態で装着者が運動を行うと、装着者の動作によって下着３０は大きな作用力を受け、引張変形および圧縮変形や、横ズレなどが頻繁に繰り返されるようになる。この下着の変形や移動によって下着に固定された生理用ナプキン１が左右方向の力を受けると、下部吸収体４を含む生理用ナプキン１の後端側部分（臀部側部分）が下着の移動に伴って左右方向に移動することになるが、上部吸収体９の自由区間部１３は下部吸収体４とは分離した構造とされるため、下部吸収体４の大きな移動があっても当初の位置に留まり位置ズレを起こさない。また、下部吸収体４の移動方向への力が上部吸収体９側に伝達されないため、排血部位Ｈを含む上部吸収体９の接合区間においても位置ズレを起こさず装着者の排血部にフィットした状態を保持するようになり、漏れが確実に防止されるようになる。
【００３４】
前記上部吸収体９の自由区間部１３において、上部吸収体９と下部吸収体４との相対移動を円滑にするためには、上部吸収体９の下面側を覆う透液性シートまたは不透液性シートと、前記下部吸収体の表面側を覆う透液性表面シートとの平均動摩擦係数が０．５以下であることが望ましい。平均動摩擦係数が０．５を超える場合には、下部吸収体４の移動に伴って摩擦によって左右方向の力が上部吸収体９側に伝達してしまい、上部吸収体９が位置ズレを起こすことがある。
【００３５】
他方、下着の変形や移動に伴って前記下部吸収体４を含む生理用ナプキンの後端側領域２０が容易に左右方向に変形（スイング状の変形移動）できるようにするには、例えば図５に示されるように、前記上部吸収体９の下部吸収体４側に対する接合区間と非接合区間との略境界部Ｋにおいて、生理用ナプキン１の両側縁部Ｓに切込み１５，１５を形成するとともに、下部吸収体４の両側縁部Ｓに切込み４ａ、４ａを形成するのが望ましい。
【００３６】
また、前記以外の方法としては、例えば図６に示されるように、前記上部吸収体９の下部吸収体４側に対する接合区間と非接合区間との略境界部Ｋにおいて、生理用ナプキン１の両側縁部Ｓに伸縮部１６を設けるようにするのが望ましい。前記伸縮部１６の構造としては、透液性表面シート３として、ポリウレタンなどの可逆性に塑性変形し易い弾性樹脂材料からなる長繊維で構成した不織布、または引き延ばされた際に繊維自体の繊維直径は変化しないもののジグザグ状またはスパイラル状の捲縮が形成され、この捲縮が引き延ばされることによって伸縮性を示すようにした不織布や伸縮性プラスチックシートを使用するとともに、前記不透液性裏面シート２として伸縮性プラスチックシートを使用することにより伸縮性を当該部分に与えるようにしてもよいし、波状または伸縮性を示す態様でエンボス加工を施すことにより当該部分に伸縮性を与えるようにしてもよい。なお、この場合も下部吸収体４には両側縁部Ｓに切込み４ａ、４ａを形成するのが望ましい。
【００３７】
さらに他の方法としては、図７に示されるように、前記上部吸収体９の下部吸収体４側に対する接合区間と非接合区間との略境界部Ｋにおいて、下部吸収体４に生理用ナプキン１の長手方向に断面Ｚ状の折り込み部１７を設け、下部吸収体４を含む生理用ナプキンの後端側領域２０が容易に左右方向に変形できるすることもできる。この場合には、前記折り込み部１７のゴワ付き感を解消するため、前記下部吸収体４は出来るだけ薄いシート状の吸収体を用いるのが望ましい。
【００３８】
ところで、前述の場合には、主に生理用ナプキン１の両側縁部Ｓ、Ｓ等の一部に加工を施すようにしたが、図８に示されるように、下部吸収体４を含む生理用ナプキンの後端側領域２０全域（斜線領域）に伸縮性を与えるようにしてもよい。伸縮性の付与方法としては、透液性表面シート３として、伸縮性不織布または伸縮性プラスチックシートを使用し、不透液性裏面シート２として伸縮性プラスチックシートを使用することにより行う。
【００３９】
前記下部吸収体４の後端部領域２０を容易に左右方向に変形できるようにするには、前述のように両側縁部に切込み４ａ、４ａを形成する方法以外、図９に示されるように、前記上部吸収体９の下部吸収体４側に対する接合区間と非接合区間との略境界部Ｋにおいて、下部吸収体４を前端側吸収体４Ａと後端側吸収体４Ｂとに分離することもできる。
【００４０】
【実施例】
本実施例では、上部吸収体９の下面側を覆う下面側シートと前記下部吸収体４を覆う上面側シート（透液性表面シート３）との平均動摩擦係数の好適値について試験を行った。試験は、ステンレス片（６３mm×６３mm、２００g）にフックを付けた載荷試験板に対して上部層下面に配置する資材を貼り付け固定するとともに、滑動試験台の上面側に下部層上面に配置する資材を縦250mm×横100mmにカットして貼り付け固定し、試験台に固定した資材面に対して前記荷重板の資材面を対面させた状態で載置し、フックに結んだ糸を水平方向に引っ張り、摺動時の引張力から平均動摩擦係数を算出した。なお、測定条件は、試験速度300mm/min、記録速度200mm/min、試験距離100mmとした。また、官能評価として、製品サンプルを試作し、女性１０名による装着テスト、上部吸収体と下部吸収体とを完全に接合したサンプルを基準として、フィット感、違和感の有無等により◎、○、×の３段階評価を行った。これらの結果を表１に示す。
【００４１】
【表１】
0004542288.tif 000002
【００４２】
以上、表１の結果から、平均動摩擦係数が０．５以下である場合には、官能評価として◎の評価を得ることができることが判明するとともに、上部層下面を非開孔フィルムとし、下部層上面を開孔フィルムとしたケース（表１中、Case２の中央試験結果）において、平均動摩擦係数が最小値となり最も望ましい態様であることが判明した。
【００４３】
【発明の効果】
以上詳説のとおり本発明によれば、どんなに下着が動いても上部吸収体が下部吸収体の動きに追従することなく、当初の位置から位置ズレしないようになり、身体にフィットした状態を保持し得るようになる。その結果、体液の漏れを確実に防止できるようになる。
【図面の簡単な説明】
【図１】本発明に係る生理用ナプキン１の一部破断平面図である。
【図２】図１のII−II線矢視図である。
【図３】図１のIII−III線矢視図である。
【図４】生理用ナプキン１の装着状態図である。
【図５】下部吸収体４の後端側領域が易変形性を示すための第１態様図である。
【図６】下部吸収体４の後端側領域が易変形性を示すための第２態様図である。
【図７】下部吸収体４の後端側領域が易変形性を示すための第３態様図を示す、(A)は平面図、(B)は(A)のB-B線矢視図である。
【図８】下部吸収体４の後端側領域が易変形性を示すための第４態様図である。
【図９】下部吸収体４の後端側領域が易変形性を示すための第５態様図である。
【図１０】従来の生理用ナプキンＮの平面図である。
【符号の説明】
１…生理用ナプキン、２…不透液性裏面シート、３…透液性表面シート、４…下部吸収体、４ａ…切込み、５…クレープ紙、６…透液性シート、７Ａ…透液性シート、７Ｂ…不透液性シート、８…クレープ紙、９…上部吸収体、１０…サイドエンボス、１１・１２・１４…粘着剤層、１３…自由区間部、１５…切込み、１６…伸縮部、１７…折り込み部、４Ａ…前端側吸収体、４Ｂ…後端側吸収体
【図１】
0004542288.tif 000003
【図２】
0004542288.tif 000004
【図３】
0004542288.tif 000005
【図４】
0004542288.tif 000006
【図５】
0004542288.tif 000007
【図６】
0004542288.tif 000008
【図７】
0004542288.tif 000009
【図８】
0004542288.tif 000010
【図９】
0004542288.tif 000011
【図１０】
0004542288.tif 000012